(57)【要約】【課題】  サッシの障子コーナーに対する養生作業を可及的容易且つ効率的になし得て，障子のコーナーの確実な養生を可能にするとともに再利用に適した角当て養生具を提供する。【解決手段】  合成樹脂を発泡したクッション材によって障子Ｂのコーナー被嵌用の凹部２を有する角当て部材１を形成し，一対の角当て部材１をゴムロープ等のループ状連結ロープ３で連結するとともに連結ロープ３間にロープストッパー４を配置して，該連結ロープ３の長さを調整できるようにして角当て養生具Ａとする。障子Ｂの上位２ヶ所のコーナー及び下位２ヶ所のコーナーをそれぞれ対として，各角当て養生具Ａを用いて養生する。連結ロープ３によって角当て部材１が連結されるので，角当て部材１が脱落することがなく，確実な養生ができ，その養生及び取外し作業も容易に行うことができる。【選択図】  図２
2008239186.tif 000002
【特許請求の範囲】
【請求項１】
障子のコーナーを養生する角当て養生具であって，障子の高さ及び幅のうち短尺側両端２ヶ所のコーナーに対して角当てする耐久性材料による一対の角当て部材と，該一対の角当て部材をループ状に連結する連結ロープと，該連結ロープの長さを調整するロープストッパーとを備えてなることを特徴とする障子の角当て養生具。
【請求項２】
上記耐久性材料による角当て部材を，クッション性を有する材料を成形し又は溶着，縫合等の接合手段によって接合して，障子のコーナーを被嵌する正背面方向に断面Ｌ字状をなす被嵌凹部を備えてなることを特徴とする請求項１に記載の障子の角当て養生具。
【請求項３】
上記連結ロープを，ゴム等の伸縮性材料を用いて形成してなることを特徴とする請求項１又は２に記載の障子の角当て養生具。
【発明の詳細な説明】
【技術分野】
【０００１】
本発明は，アルミサッシ，樹脂サッシ等サッシにおける障子の角当て養生に使用する障子の角当て養生具に関する。
【背景技術】
【０００２】
この種のサッシにおける障子，特にビル用のものは，メーカーで框組みした障子を出荷し，サッシ販売業者を経由し，サッシ販売業者において框組みを外してガラスを装着し，障子の完成品として建築現場に搬入し，予め建造物の開口に設置した窓枠に対して取り付けるものとされる。このときメーカーからサッシ販売業者，サッシ販売業者から建築現場への各搬送に際しては，障子の４ヶ所の各コーナーに，例えばダンボールを折曲接合した角当て養生具をそれぞれ被嵌して，搬送時の衝撃等によって傷が発生し又は変形を招くのを防止するものとされる。
【発明の開示】
【発明が解決しようとする課題】
【０００３】
この場合，例えばメーカーからの出荷時は，角当て養生具を被嵌して，更に障子を，合成樹脂の透明シートで被覆して全体の養生を行うから，角当て養生具は，該シートに保持されて，外れることはないが，サッシ販売業者において，ガラス装着のためにシートを外すため，ガラス装着後の障子は，裸のまま角当て養生具が被嵌された状態で搬送されることになり，角当て養生具の保持がなされず，下端の角当て養生具が外れる可能性がある。また角当て養生具は，障子の４ヶ所のコーナーに個別に被嵌するため，その被嵌をコーナー毎に行う必要があり，コーナー養生作業が繁雑となり，また建築現場でもその取り外しを個別に行うために，同様にその取外し作業が繁雑となるとともに該角当て養生具はダンボール製であるため，再使用ができず，建築現場で廃棄するため，建築現場のゴミが増加する原因となり，更に資源の有効利用の面で問題を残している。
【０００４】
本発明はかかる事情に鑑みてなされたもので，その解決課題とするところは，養生作業を可及的容易且つ効率的になし得て，障子から脱落することなく，障子のコーナーの確実な養生を可能にするとともに再利用に適したものとした障子の角当て養生具を提供するにある。
【課題を解決するための手段】
【０００５】
上記課題に沿って本発明は，障子の高さ及び幅のうち短尺側両端２ヶ所のコーナーを対とし，該コーナーを被嵌する一対の角当て部材を連結ロープで連結するとともに該連結ロープの長さを障子幅に合せて調整し得るようにした養生具によって被嵌養生するようにする一方，上記角当て部材を耐久性材料によって形成するとともに連結ロープを該一対の角当て部材間でループ状として,被嵌養生時に障子の両端部に位置する框の前後に配置することによって，上記短尺側両端２ヶ所のコーナーに角当て部材を安定且つ確実に保持し，また上記連結ロープの障子寸法に合せた長さ調整を該ループ状の連結ロープに配置したストッパーによって行うようにし，これらによって良好な使い勝手を確保して，障子の養生作業を可及的に容易且つ効率的になし得て，角当て部材が障子から脱落することなく，障子のコーナーの確実な養生を可能にするとともに再利用に適するようにしたものであって，即ち，請求項１に記載の発明を，障子のコーナーを養生する角当て養生具であって，障子の高さ及び幅のうち短尺側両端２ヶ所のコーナーに対して角当てする耐久性材料による一対の角当て部材と，該一対の角当て部材をループ状に連結する連結ロープと，該連結ロープの長さを調整するロープストッパーとを備えてなることを特徴とする障子の角当て養生具としたものである。
【０００６】
請求項２に記載の発明は，上記に加えて，上記耐久性材料の角当て部材を，クッション性の材料を用いて，これを成形や接合手段により接合して，上記対とした障子のコーナーを被嵌する被嵌凹部を配置したクッション性のものとすることによって，該コーナーに対する衝撃による損傷可能性を可及的に解消乃至防止して，上記ダンボールの角当て養生具に比して障子に対する作業者の取扱いの注意力を軽減して，搬送やその積込み，積降し等の作業性を向上し得るようにしたものであって，即ち，これを，上記耐久性材料の角当て部材を，クッション性を有する材料を成形し又は溶着，縫合等の接合手段によって接合して，障子のコーナーを被嵌する正背面方向に断面Ｌ字状をなす被嵌凹部を備えてなることを特徴とする請求項１に記載の障子の角当て養生具としたものである。
【０００７】
請求項３に記載の発明は，同じく上記に加えて，上記連結ロープを，それ自体伸縮性を有するゴム等の材料を用いて形成することにより，上記ストッパーによる長さの調整を行うことなく，連結ロープの伸縮範囲である程度の障子幅の変化に対応し得るとともに建築現場で連結ロープを伸張するようにして容易に角当て部材の取外しをなし得るものとしたものであって，即ち，これを，上記連結ロープを，ゴム等の伸縮性材料を用いて形成してなることを特徴とする請求項１又は２に記載の障子の角当て養生具としたものである。
【０００８】
本発明はこれらをそれぞれ発明の要旨として上記課題解決の手段としたものである。
【発明の効果】
【０００９】
本発明は以上のとおりに構成したから，請求項１に記載の発明は，障子の高さ及び幅のうち短尺側両端２ヶ所のコーナーを対とし，該コーナーを被嵌する一対の角当て部材を連結ロープで連結するとともに該連結ロープの長さを障子幅に合せて調整し得るようにした養生具によって被嵌養生するようにする一方，上記角当て部材を耐久性材料によって形成するとともに連結ロープを該一対の角当て部材間でループ状として,被嵌養生時に障子の両端部に位置する框の前後に配置することによって，上記短尺側両端２ヶ所のコーナーに角当て部材を安定且つ確実に保持し，また上記連結ロープの障子寸法に合せた長さ調整を該ループ状の連結ロープに配置したストッパーによって行うようにし，これらによって良好な使い勝手を確保して，障子の養生作業を可及的に容易且つ効率的になし得て，角当て部材が障子から脱落することなく，障子のコーナーの確実な養生を可能にするとともに再利用に適するようにした障子の角当て養生具を提供することができる。
【００１０】
請求項２に記載の発明は，上記に加えて，上記耐久性材料の角当て部材を，クッション性の材料を用いて，これを成形や接合手段により接合して，上記対とした障子のコーナーを被嵌する被嵌凹部を配置したクッション性のものとすることによって，該コーナーに対する衝撃による損傷可能性を可及的に解消乃至防止して，上記ダンボールの角当て養生具に比して障子に対する作業者の取扱いの注意力を軽減して，搬送やその積込み，積降し等の作業性を向上し得るものとすることができる。
【００１１】
請求項３に記載の発明は，同じく上記に加えて，上記連結ロープを，それ自体伸縮性を有するゴム等の材料を用いて形成することにより，上記ストッパーによる長さの調整を行うことなく，連結ロープの伸縮範囲である程度の障子幅の変化に対応し得るとともに建築現場で連結ロープを伸張するようにして容易に角当て部材の取外しをなし得るものとすることができる。
【発明を実施するための最良の形態】
【００１２】
以下図面の例に従って本発明を更に具体的に説明すれば，Ａは，障子Ｂのコーナーを養生する角当て養生具であり，該角当て養生具Ａは，障子Ｂの高さ及び幅のうち短尺側両端２ヶ所，本例にあっては上位又は下位の幅方向２ヶ所のコーナーに対して角当てする耐久性材料による一対の角当て部材１と，該一対の角当て部材１をループ状に連結する連結ロープ３と，該連結ロープ３の長さを調整するロープストッパー４とを備えたものとしてあり，本例にあって，該角当て養生具Ａの上記耐久性材料による角当て部材１は，これを，クッション性を有する材料を成形し又は溶着，縫合等の接合手段によって接合して，障子のコーナーを被嵌する正背面方向に断面Ｌ字状をなす被嵌凹部２を備えたものとし，また上記連結ロープ３は，これを，ゴム等の伸縮性材料を用いて形成したものとしてある。
【００１３】
このとき角当て部材１は，耐久性のある材料を用いた厚肉のものとしてあり，例えば連続気泡又は独立気泡の発泡成形によって合成樹脂を成形することによって上記断面Ｌ字状の被嵌凹部２を形成し且つクッション性を付与したもの，該発泡成形した合成樹脂のシートに，溶着，接着等を施して接合し，同様に上記断面Ｌ字状の被嵌凹部２を形成し且つクッション性を付与したもの，フェルトや織布に縫合を施して接合し，同様に上記断面Ｌ字状の被嵌凹部２を形成し且つクッション性を付与したもの，織布や樹脂の袋体に，綿，発泡材等のクッション材を充填して袋体に縫合，溶着等を施して接合し，同様に上記断面Ｌ字状の被嵌凹部２を形成したもの等，単一材料又は複合材料によって形成したものとすることができる。本例にあって該角当て部材１は，連続気泡とすることによって高度なクッション性を確保するとともに量産性に優れ，角当て部材１としての均一性を確保し，良好な外観のものとするように，上記連続気泡の合成樹脂成形品によるものとしてあり，このとき該角当て部材１は，その正面形状を矩形，方形，三角形等の適宜の形状とすることができ，図３は矩形乃至方形の被嵌凹部２開口側を切欠いて正面Ｌ字状とした例，図４は被嵌凹部２開口端を垂直面とし正面三角形とした例，図５は正面矩形乃至方形とした例である。
【００１４】
連結ロープ３は，例えば合繊ロープ，ゴムロープ，シートロープ等の各種のものを使用することができるが，角当て部材１の使用状態で障子Ｂの框に接触することから，框に傷を付することのない表面を有するものとするとともにロープストッパー４を使用して長さ調整を行う必要から，該ストッパー４に対する滑りとストッパー４による位置固定が確実になされるものとしてあり，本例にあって該連結ロープ３は，ゴムロープとすることによって，表面の合成繊維により框に傷を付することなくロープストッパー４を用いた長さ調整を有効且つ適切になし得るものとするとともに伸縮性を有して作業性を良好に確保したものとしてある。
【００１５】
連結ロープ３による角当て部材１のループ状連結は，角当て部材１の表面，肉厚方向中間又は裏面に連結ロープ３を溶着，接着，縫合等の接合手段を用いて直接に接合配置するか，ロープ挿通用のパイプを角当て部材の表面，肉厚方向中間又は裏面に接合し，該パイプに連結ロープを挿通して間接に接合配置するものとしてある。図３は，連結ロープ３を角当て部材の肉厚方向中間に配置した例，図４は表面に配置した例，図５は裏面に配置した例である。
【００１６】
ロープストッパー４は，例えばＳ字状プレートのもの，プッシュボタン式のもの，即ち本体とプッシュボタンに挿通したロープをスプリングで押圧固定し，プッシュボタンを押すことによって固定が解除される構造のもの等の各種のものを使用することができる。本例にあっては，該ロープストッパー４を，上記プッシュボタン式のものとすることによって，角当て部材１をコーナーに被嵌するについて連結ロープ３の長さ調整を行う場合，角当て部材１をコーナーから外すために連結ロープ３を緩める場合を含めて，良好な操作性を確保して，作業効率を向上し得るようにしてある。
【００１７】
以上の構成による角当て養生具Ａは，障子Ｂの高さ及び幅のうち短尺側両端の，上記上位２ヶ所のコーナー及び下位２ヶ所のコーナーを対として，該障子Ｂの幅方向２ヶ所のコーナーに，その一対の角当て部材１をそれぞれ被嵌し，該一対の角当て部材１を連結するループ状の連結ロープ３の長さを障子幅に合せるように絞って，ロープストッパー４で障子幅に合せた長さに調整し，連結ロープ３によって一対の角当て部材１を引寄せて，その脱落の可能性を解消するとともに該角当て部材１による障子Ｂ４ヶ所のコーナーの養生を行うものとしてあり，例えばビルサッシの場合，メーカーからサッシ販売業者に搬送し，該サッシ販売業者において角当て養生具Ａを取外し，障子Ｂにガラスを装着した後に，再度角当て養生具Ａを障子Ｂに付して，建築現場に搬送し，建築現場で角当て養生具Ａを外して，障子Ｂをサッシ枠に取り付けるように使用するものとされる。
【００１８】
このとき障子Ｂの幅は，その高さに対して短尺であるので，両手を伸ばして，角当て部材１を上位又は下位の２ヶ所のコーナーに引掛状とするように被嵌することが可能であるが，両手を伸ばしても届かないときは，片側一方のコーナーに角当て部材１を引掛状に被嵌して，連結ロープ３乃至他方の角当て部材１を手持して片側他方のコーナーに他方の角当て部材１を引掛状に被嵌するようにすればよく，本例にあっては，連結ロープ３をゴムロープとしたことによって，該連結ロープ３の伸縮を利用し，片側他方の角当て部材１の引掛状の被嵌を容易に行うことができる。また取外しに際しても，片側一方の角当て部材１を外せば，連結ロープ３が緩むため，片側他方の角当て部材１の保持が解除されるから，連結ロープ３を上下に波うち状に揺らせば，該片側他方の角当て部材１を離れた位置から外すこともできる。またこのときゴムロープとした連結ロープ３にはロープストッパー４を付したから，概ロープストッパー４によって連結ロープ３の長さ調整を行った状態で，なお連結ロープ３の伸縮を行うことができ，障子Ｂに対する角当て養生具Ａの設置を更に容易に行うことができる。
【００１９】
図示した例は以上のとおりとしたが，例えば横長の開き戸における障子の如くに，高さ及び幅のうち高さが短尺の障子にあっては，その左右に位置する両端２ヶ所のコーナーを対として，これに上記一対の角当て部材を角当てするように配置するものとすること，上記成形によって形成するとき，該角当て部材に樹脂製のパイプを一体に形成し，該パイプに連結ロープを挿通して，該角当て部材に連結ロープをループ状に連結するようにすること，該角当て養生具を樹脂サッシに使用すること，該角当て養生具を，住宅サッシを組み立ててガラスを装着するサッシ販売業者から建築現場の養生に用いるようにすることを含めて，本発明の実施に当って，障子，角当て部材，連結ロープ，ロープストッパーの各具体的形状，構造，材質，これらの関係，これらに対する付加等は，上記発明の要旨に反しない限り様々の形態のものとすることができる。
【図面の簡単な説明】
【００２０】
【図１】サッシのコーナーに角当て養生具を被嵌設置した状態を示す正面図である。
【図２】図１の部分拡大図である。
【図３】他の例に係る養生具の部分拡大図である。
【図４】他の例に係る養生具の部分拡大図である。
【図５】他の例に係る養生具の部分拡大図である。
【符号の説明】
【００２１】
Ａ  角当て養生具
Ｂ  障子  
１  角当て部材
２  被嵌凹部
３  連結ロープ
４  ロープストッパー
【図１】
2008239186.tif 000003
【図２】
2008239186.tif 000004
【図３】
2008239186.tif 000005
【図４】
2008239186.tif 000006
【図５】
2008239186.tif 000007